(57)【要約】【課題】  ユーザーがどのような目的でスポットカラーの指定をしたか、ＰＤＬ内でオブジェクト毎の指定か、版指定かを判断して用紙や定着モードを切り替える手段をもうけ、ユーザー所望の再現を行うことを可能にするカラー画像処理装置を提供する。【解決手段】  ＰＤＬすなわちプリンタ記述言語を解釈する手段を有し、スポットカラーの指定がページ単位かオブジェクト単位かのページ判断手段を有し、スポットカラーがどのような印刷条件で作成されているか判断するスポットカラー印刷条件判断手段を有し、前記ページ判断手段、前記印刷条件判断手段の判断結果からプリンタの設定を行うプリンタ設定手段を備えることを特徴とする。【選択図】        図８
2006285838.tif 000002
【特許請求の範囲】
【請求項１】
ＰＤＬすなわちプリンタ記述言語を解釈する手段を有し、スポットカラーの指定がページ単位かオブジェクト単位かのページ判断手段を有し、スポットカラーがどのような印刷条件で作成されているか判断するスポットカラー印刷条件判断手段を有し、前記ページ判断手段、前記印刷条件判断手段の判断結果からプリンタの設定を行うプリンタ設定手段を備えることを特徴とするカラー画像処理装置。
【請求項２】
請求項１に記載の印刷条件とは用紙、光沢度であることを特徴とするカラー画像処理装置。
【請求項３】
請求項１に記載のプリンタ設定手段とは用紙、光沢度であることを特徴とするカラー画像処理装置。
【請求項４】
請求項１に記載のスポットカラーとはＮａｍｅｄ  Ｐｒｏｆｉｌｅを参照して色変換を行うことを特徴とするカラー画像処理装置。
【請求項５】
請求項１に記載のＰＤＬとはＰＳすなわちＰｏｓｔＳｃｒｉｐｔであることを特徴とするカラー画像処理装置。
【請求項６】
請求項１に記載のＰＤＬとはＰＤＦであることを特徴とするカラー画像処理装置。
【発明の詳細な説明】
【技術分野】
【０００１】
本発明は、ＰＤＬ（Ｐｒｉｎｔｅｒ  Ｄｅｓｃｒｉｐｔｉｏｎ  Ｌａｎｇｕａｇｅ）の中でスポットカラーマッチングに関してＮａｍｅｄＰｒｏｆｉｌｅを用いて色処理を行うものに関し、特にカラー画像処理装置に係る。
【背景技術】
【０００２】
従来、特許文献１にはプロファイルに応じて光沢モード、光沢紙を用いる例が記載されている。また、プロファイルに応じてページ全体の切り替えを行うプロファイルに特化している。特許には具体的に記載されていないが、たとえば出力プロファイルに限定されていることは同業他社が見れば明らかである。
【０００３】
図１で示すイラストレータなどのアプリでの色指定した際、ＰＤＬ言語のひとつであるＰＳ（ＰｏｓｔＳｃｒｉｐｔ）でのスポットカラーマッチングでは図２に示す入力ソースの指定にスポットカラーたとえば「ＰＡＮＴＯＮＥ  １００  Ｃ」などが用いられ、アプリケーションから出力されるＰＳ言語内の文字列「ＰＡＮＴＯＮＥ  １００  Ｃ」に応じて、Ｎａｍｅｄ  Ｐｒｏｆｉｌｅが選択され使用されその文字列での色度からエンジンに最適なカラーマネージメント（ＣＭＳ）が行われエンジン依存のＤｅｖｉｃｅＣＭＹＫが作成される。このスポットカラーマッチングでは図４のようにオブジェクトの色指定に使われていたり、印刷版の指定に使われていたりとユーザーの使用目的に応じて使用されている。たとえば印刷版の指定の場合はページ全体でスポットカラー指定にＮａｍｅｄ  Ｐｒｏｆｉｌｅが使用されるが、オブジェクト指定の場合はページ内の一部のみＮａｍｅｄ  Ｐｒｏｆｉｌｅが使用され、他のオブジェクトは別の入力ソースたとえばＤｅｖｉｃｅＲＧＢやＤｅｖｉｃｅＣＭＹＫが使用される。
【０００４】
ここでたとえばスポットカラー設定のＰａｎｔｏｎｅといっても図２に示すようにＣ（コート紙用色見本ターゲット）、ＵＣ（非コート紙用色見本ターゲット）、Ｍ（マット紙用色見本ターゲット）などのようにいろいろなものが用意されている。これらのスポットカラーはそれぞれ専用紙にプリントされたパッチ（色見本）が元になっている。また従来のスポットカラーマッチングではプリンタに設定された紙でＮａｍｅｄ  Ｐｒｏｆｉｌｅに記載の色度にだけあわせる形を取っていた。
【特許文献１】特開２００４−３７５２５号公報
【発明の開示】
【発明が解決しようとする課題】
【０００５】
以上のように、用紙や定着モードなどをスポットカラーにあわせて変更するものはなかった。また、オブジェクト毎や、版指定などのスポットカラーの指定の方法に応じて用紙や定着モードを切り替えるものもなかった。
【０００６】
本発明は、上述の問題点に着目してなされたものであって、ユーザーがどのような目的でスポットカラーの指定をしたか、ＰＤＬ内でオブジェクト毎の指定か、版指定かを判断して用紙や定着モードを切り替える手段をもうけ、ユーザー所望の再現を行うことを可能にするカラー画像処理装置を提供することを目的とする。
【課題を解決するための手段】
【０００７】
そこで本発明では、上記課題を解決するために以下の構成を備える。
【０００８】
ＰＤＬすなわちプリンタ記述言語を解釈する手段を有し、スポットカラーの指定がページ単位かオブジェクト単位かのページ判断手段を有し、スポットカラーがどのような印刷条件で作成されているか判断するスポットカラー印刷条件判断手段を有し、前記ページ判断手段、前記印刷条件判断手段の判断結果からプリンタの設定を行うプリンタ設定手段を備える。
【発明の効果】
【０００９】
本発明では、ユーザーがどのような目的でスポットカラーの指定をしたか、ＰＤＬ内でオブジェクト毎の指定か、版指定かを判断して用紙や定着モードを切り替える手段をもうけ、ユーザー所望の再現を行うことを可能にする効果が得られる。
【００１０】
また、上記ＰＤＬ内の判断だけでなくＵＩ（ユーザーインターフェース）でユーザー自身が指定できるようにしてユーザー所望の再現を行うことを可能にする効果が得られる。
【発明を実施するための最良の形態】
【００１１】
以下本発明を実施するための最良の形態を、実施例により詳しく説明する。
【実施例１】
【００１２】
本発明の実施例１を図を用いて以下に説明する。
【００１３】
まずアプリケーション（たとえばイラストレータなど）で図１のような形でスポットカラー指定（スオッチライブラリーカラー指定）を行った場合、スポットカラー指定は図２のような文字列が作成される。ＰＳを解釈するインタプリタにはオブジェクト毎の指定の場合は図４に示すよう（１）の色指定がＰＳ言語で指定されてくる。また、分版指定などで版の色を指定する場合は図４の（２）の色指定がＰＳ言語で指定されてくる。ここまでを図８のシステム図で説明すると８０１のアプリでスポットカラーの指定が行われ、８０２のドライバを通して８０３のＰＳインタプリタまでデータが送られる。
【００１４】
次に通常のスポットカラーのカラーマネージメント処理に関して図３を用いて説明しておく。アプリケーションからの指定に含まれる「ＰＡＮＴＯＮＥ  １００  ＣＶＣ」という文字列からＮａｍｅｄ  Ｐｒｏｆｉｌｅ内を検索し、そのプロファイルから文字列に対応する色度、たとえばＬａｂ値を所得してそのＬａｂをプリンタで出力するために最適なＣＭＹＫ値が記載されている出力プロファイル（図示していない）からカラーマネージメントシステム（ＣＭＳ）によりＬａｂからＣＭＹＫ値を求めてプリンタに出力する。以上は図５でスポットカラーマッチングＯＮの場合でＯＦＦの場合はＮａｍｅｄ  Ｐｒｏｆｉｌｅを参照せずアプリケーションからの指定に含まれる「ＤｅｖｉｃｅＣＭＹＫ…」という文字列の代替色空間の値を用いてプリンタに出力する。以上からもわかるようにスポットカラーマッチングがＯＮのときはＬａｂが使用されるのでデバイスに依存しない色再現ができ、ＯＦＦの場合はデバイスに依存した色になってしまうのでプリンタが異なると色も変わってしまうことになってユーザーには好ましくないものになってしまう。
【００１５】
基本機能の説明が終わったので本発明の説明にうつる。
【００１６】
本発明では図２に記載し、従来例でも説明したように、スポットカラー設定のＰａｎｔｏｎｅといってもＣ（コート紙用色見本ターゲット）、ＵＣ（非コート紙用色見本ターゲット）、Ｍ（マット紙用色見本ターゲット）などのようにいろいろなものが用意されている。これらのスポットカラーはそれぞれ専用紙にプリントされたパッチ（色見本）が元になっているので、実際に出力する際にスポットカラーの「ＰＡＮＴＯＮＥ  １００  Ｃ」の“Ｃ”を参照して処理を切り替えるようにしている。また、スポットカラーは１ページの中でオブジェクト毎に指定したり、１ページの版を指定することが可能なので１ページの倍はそのページすべてでその色指定になるのでそのデータをプリントする紙のメディア、紙の光沢調整などをスポットカラーに応じて変更できるようにする。これらの制御は図５に示すユーザーインターフェースからユーザーが切り替えるようにすることでユーザ―の好ましい設定を可能にする。またＡｕｔｏのときは完全に自動にするのではなく図７の警告を表示してユーザーに判断させるセミＡｕｔｏにしてもよい。
【００１７】
では実際の処理の流れを図６のフローを用いて説明する。スポットカラーがあったときのメディアタイプ、光沢指定の切り替えを説明する。ここでは図５の指定の場合を説明する。
【００１８】
Ｓｔｅｐ１０１で１Ｐａｇｅ指定かを判断する。ここでは図４で説明したように分版指定の１ページに全体に関係するものかを判断する。図４の（１）のときはオブジェクト毎なのでページ内にスポットカラー以外の指定がある可能性が高いのでＳｔｅｐ１０２に進みメディアタイプ、光沢指定を変更せずそのままで処理を進める。図４の（２）のときは１ページの版の指定なので次にＳｔｅｐ１０３に進みスポットカラーの拡張子の“Ｃ”や“Ｕ”をチェックする。ここでは“Ｃ”の場合を説明するが他の場合など制御としては、
“Ｃ”はＣｏａｔｅｄなのでコート紙、定着は光沢モード
“Ｕ”はＵｎｃｏａｔｅｄなので非コート紙、定着はマットモード
が基本になる。しかし、この指定は一例であって紙、定着などの光沢モードはこれに限ったものではなくユーザーが指定してもいいし、予め機械内で設定しておいてもかまわない。
【００１９】
“Ｃ”の場合で説明をつづける。次にメディアタイプの確認のためＳｔｅｐ１０５で光沢紙のＧＬＯＳＳＹか確認する。ＹｅｓのときはＳｔｅｐ１０６でメディアを変更しない。次にＳｔｅｐ１０７で実際にメディア指定を行う。メディアタイプの確認でＳｔｅｐ１０５で光沢紙のＧＬＯＳＳＹでなくＮｏのときはＳｔｅｐ１０８で図７の警告画面を表示して、Ｓｔｅｐ１０９でする／しないの変更を確認する。変更ＹｅｓのときはＳｔｅｐ１１７でＧＬＯＳＳＹに変更し、Ｓｔｅｐ１０７で実際のメディアの指定を行う。変更ＮｏのときはＳｔｅｐ１０６でメディアタイプそのままということでたとえば普通紙のときは、Ｓｔｅｐ１０７で実際に普通紙の指定を行う。
【００２０】
次に光沢指定の確認のためＳｔｅｐ１１１で光沢か確認する。ＹｅｓのときはＳｔｅｐ１１２で光沢指定を変更しない。次にＳｔｅｐ１１３で実際に光沢指定を行う。光沢指定の確認でＳｔｅｐ１１１で光沢でなくたとえばマットでＮｏのときはＳｔｅｐ１１４で図７の警告画面を表示して、Ｓｔｅｐ１１５でする／しないの変更を確認する。変更ＹｅｓのときはＳｔｅｐ１１６で光沢に変更し、Ｓｔｅｐ１１３で実際の光沢の指定を行う。変更ＮｏのときはＳｔｅｐ１１２で光沢指定そのままということでたとえばマットで、Ｓｔｅｐ１１６で実際にマットの指定を行う。
【実施例２】
【００２１】
本発明の実施例１ではＰＳ（ＰｏｓｔＳｃｒｉｐｔ）で説明したがＰＤＦでも同様に判断、制御ができることはいうまでもない。
【図面の簡単な説明】
【００２２】
【図１】アプリケーションでのスポットカラー設定を説明する図
【図２】スポットカラー設定の一例を示す図
【図３】スポットカラー設定のカラーマネージメントの一例を示す図
【図４】スポットカラー設定の一例を示す図
【図５】スポットカラーマッチング設定のＵＩの一例を示す図
【図６】本発明の処理フロー図
【図７】警告画面を示す図
【図８】本実施例のシステム図
【符号の説明】
【００２３】
８０１  アプリケーション
８０２  ドライバ
８０３  ＰＤＬインタプリタ
８０４  ＣＰＵ
８０５  ＲＡＭ
８０６  ＨＤ
８０７  ＵＩ
８０８  プリンタ
【図２】
2006285838.tif 000003
【図４】
2006285838.tif 000004
【図６】
2006285838.tif 000005
【図８】
2006285838.tif 000006
【図１】
2006285838.tif 000007
【図３】
2006285838.tif 000008
【図５】
2006285838.tif 000009
【図７】
2006285838.tif 000010